(57)【要約】【課題】ユーザが空調機器を効率的に使用するために必要な情報を提示することができる情報提示システムを提供する。【解決手段】情報提示システム１００は、室内に設けられた空調機器２０のユーザに情報を提示する。情報提示システム１００は、空調機器２０の操作ログ情報を取得する第一通信部１１と、室内の温度を計測する温度計測部３１と、取得された操作ログ情報に基づいて、空調機器２０の空調がオフされたタイミングを特定する特定部１４とを備える。また、情報提示システム１００は、計測された室内の温度に基づいて、特定されたタイミング以降の室内の温度の経時変化を示す画像を表示する表示部５１を備える。【選択図】図１
2017116129.tif 000002
【特許請求の範囲】
【請求項１】
室内に設けられた空調機器のユーザに情報を提示する情報提示システムであって、
前記空調機器の操作ログ情報を取得する取得部と、
前記室内の温度を計測する温度計測部と、
取得された操作ログ情報に基づいて、前記空調機器の空調がオフされたタイミングを特定する特定部と、
計測された前記室内の温度に基づいて、特定されたタイミング以降の前記室内の温度の経時変化を示す画像を表示する表示部とを備える、
情報提示システム。
【請求項２】
さらに、前記室内の湿度を計測する湿度計測部を備え、
前記表示部は、計測された前記室内の湿度に基づいて、特定されたタイミング以降の前記室内の湿度の経時変化をさらに示す前記画像を表示する、
請求項１記載の情報提示システム。
【請求項３】
さらに、計測された前記室内の温度及び湿度に基づいて、快適性を示す指数を算出する第一算出部を備え、
前記表示部は、特定されたタイミング以降における、算出された指数の経時変化をさらに示す前記画像を表示する、
請求項２記載の情報提示システム。
【請求項４】
前記表示部は、縦軸及び横軸の一方が前記室内の温度を示し、前記縦軸及び前記横軸の他方が前記室内の湿度を示すグラフであって、特定されたタイミング以降の前記室内の温度及び湿度の経時変化を示すグラフを含む前記画像を表示する、
請求項２または３記載の情報提示システム。
【請求項５】
前記表示部は、所定の快適性が維持される温度または時間の範囲である快適範囲をさらに示す前記画像を表示する、
請求項１乃至４の何れか１項に記載の情報提示システム。
【請求項６】
さらに、計測された前記室内の温度及び特定されたタイミングに基づいて、所定の快適性が持続される持続時間であって、特定されたタイミングを始点とする持続時間を算出する第二算出部を備え、
前記表示部は、算出された複数の持続時間の分布を示す画像をさらに表示する、
請求項１乃至５の何れか１項に記載の情報提示システム。
【請求項７】
コンピュータを、請求項１乃至６の何れか１項に記載の情報提示システムとして機能させるためのプログラム。
【発明の詳細な説明】
【技術分野】
【０００１】
本発明は、空調機器のユーザに情報を提示する情報提示システム、及び、プログラムに関する。
【背景技術】
【０００２】
従来、室内の冷房及び暖房を行う装置として、様々な装置が提案されている。例えば、床暖房装置（特許文献１参照）、及び、空調機器などが提案されている。
【先行技術文献】
【特許文献】
【０００３】
【特許文献１】特開２０１１−２５７０９２号公報
【発明の概要】
【発明が解決しようとする課題】
【０００４】
空調機器は、ユーザの快適性を損なわない範囲で効率的に使用されるほうがよい。
【０００５】
本発明は、ユーザが空調機器を効率的に使用するために必要な情報を提示することができる情報提示システム及びプログラムを提供する。
【課題を解決するための手段】
【０００６】
本発明の一態様に係る情報提示システムは、室内に設けられた空調機器のユーザに情報を提示する情報提示システムであって、前記空調機器の操作ログ情報を取得する取得部と、前記室内の温度を計測する温度計測部と、取得された操作ログ情報に基づいて、前記空調機器の空調がオフされたタイミングを特定する特定部と、計測された前記室内の温度に基づいて、特定されたタイミング以降の前記室内の温度の経時変化を示す画像を表示する表示部とを備える。
【０００７】
本発明の一態様に係るプログラムは、コンピュータを、上記情報提示システムとして機能させるためのプログラムである。
【発明の効果】
【０００８】
本発明の一態様に係る情報提示システム及びプログラムは、ユーザが空調機器を効率的に使用するために必要な情報を提示することができる。
【図面の簡単な説明】
【０００９】
【図１】図１は、実施の形態に係る情報提示システムの構成を示すブロック図である。
【図２】図２は、実施の形態に係る情報提示システムを構成する機器の外観図である。
【図３】図３は、表示部に表示される画像の一例を示す図である。
【図４】図４は、実施の形態に係る情報提示システムの動作例１のフローチャートである。
【図５】図５は、実施の形態に係る情報提示システムの動作例２のフローチャートである。
【図６】図６は、温度及び湿度の経時変化を示すグラフを含む画像の一例を示す図である。
【図７】図７は、実施の形態に係る情報提示システムの動作例３のフローチャートである。
【図８】図８は、不快指数を示す画像の一例である。
【図９】図９は、実施の形態に係る情報提示システムの動作例４のフローチャートである。
【図１０】図１０は、持続時間の度数分布を示す画像の一例を示す図である。
【図１１】図１１は、昼間の持続時間と夜間の持続時間とが区別された度数分布を示す画像の一例を示す図である。
【発明を実施するための形態】
【００１０】
以下、実施の形態について、図面を参照しながら説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１１】
なお、各図は模式図であり、必ずしも厳密に図示されたものではない。また、各図において、実質的に同一の構成に対しては同一の符号を付し、重複する説明は省略または簡略化される場合がある。
【００１２】
（実施の形態）
［情報提示システムの全体構成］
まず、実施の形態に係る情報提示システムの全体構成について説明する。図１は、実施の形態に係る情報提示システムの構成を示すブロック図である。図２は、情報提示システムを構成する機器の外観図である。
【００１３】
図１及び図２に示されるように、情報提示システム１００は、制御装置１０と、空調機器２０と、温湿度計測装置３０と、表示装置５０と、電力計測装置４０とを備える。
【００１４】
情報提示システム１００は、住宅などの建物に設けられ、当該建物内（室内）に設けられた空調機器２０のユーザに情報を提示するシステムである。
【００１５】
情報提示システム１００においては、ユーザが空調機器２０を効率的に使用するために必要な情報が提示される。具体的には、このような情報として、表示装置５０の表示部５１に画像が表示される。図３は、表示部５１に表示される画像の一例を示す図である。
【００１６】
図３に示されるように、情報提示システム１００において、表示部５１には、空調機器２０の空調がオフされた（以降、単に、「空調機器２０がオフされた」とも記載される）後の、室内の温度の経時変化を示すグラフが画像として表示される。図３に示される画像は、一例として、夏場に冷房を行ったときの室内の温度の経時変化を示す。このため、空調機器２０がオフされると室内の温度は上昇するが、冬場に冷房を行ったときの室内の温度は、空調機器２０がオフされると下降する。
【００１７】
このような画像を視認したユーザは、空調機器２０がオフされた後の室温の経時変化を認識することができる。つまり、ユーザは、外出する３０分前に空調機器２０をオフしたとしても、外出するまでに温度はほとんど変化しない、など、空調機器２０をオフするタイミングを決定するための情報を得ることができる。このような画像に基づいて、ユーザが空調機器２０をオフするタイミングを早めれば、節電を促進することができる。以下、情報提示システム１００を構成する各機器について詳細に説明する。
【００１８】
［空調機器］
空調機器２０は、冷房及び暖房の少なくとも一方を行う装置である。空調機器２０は、図示されないが、制御装置１０と無線通信を行うための通信モジュール（通信回路）を有し、制御装置１０と無線通信が可能である。空調機器２０は、ユーザによって操作されると操作ログ情報を生成し、生成した操作ログ情報を、通信モジュールを用いて制御装置１０に送信する。
【００１９】
操作ログ情報においては、操作の内容と、操作が行われた時刻を示す時刻情報（タイムスタンプ）とが対応付けられている。操作の内容には、電源オン、電源オフ（空調のオフ）、設定温度変更、運転モード変更、及び、風量変更などが含まれる。このような操作ログ情報により、制御装置１０は、空調機器２０がオフされたタイミングを特定することができる。
【００２０】
［温湿度計測装置］
温湿度計測装置３０は、空調機器２０が設けられた室内の温度及び湿度を計測する装置である。温湿度計測装置３０は、具体的には、温度計測部３１と、湿度計測部３２とを備える。
【００２１】
温度計測部３１は、サーミスタまたは熱電対などの温度計測用の素子を有し、室内の温度（室温）を所定期間ごとに計測する。
【００２２】
湿度計測部３２は、高分子抵抗式の湿度センサ、及び、高分子容量式の湿度センサなどの湿度計測用の素子を有し、室内の湿度を所定時間ごとに計測する。なお、湿度計測部３２は、必須の構成要素ではないが、湿度計測部３２が湿度を計測することにより、表示部５１は、空調機器２０がオフされて以降の室内の湿度の経時変化を示す画像を表示することができる。湿度計測部３２によって計測された湿度は、後述する不快指数の算出などにも用いられる。
【００２３】
また、図示されないが、温湿度計測装置３０は、制御装置１０と通信を行うための通信モジュール（通信回路）を有し、室温の計測値及び湿度の計測値を制御装置１０に送信する。室温の計測値及び湿度の計測値は、計測時刻を示す時刻情報（タイムスタンプ）が付与された状態で送信される。なお、室温の計測値及び湿度の計測値がリアルタイムで送信されるような場合、時刻情報は、制御装置１０が付与してもよい。
【００２４】
［制御装置］
制御装置１０は、空調機器２０がオフされた後の室内の温度の経時変化を示す画像を表示部５１に表示するための情報を表示装置５０に送信する制御を行う。制御装置１０は、具体的には、第一通信部１１と、記憶部１２と、制御部１３とを備える。
【００２５】
第一通信部１１は、制御装置１０が、空調機器２０、温湿度計測装置３０、表示装置５０、及び電力計測装置４０と無線通信を行うための通信モジュール（通信回路）である。なお、制御装置１０と複数の機器それぞれとの通信方式が機器ごとに異なるような場合、第一通信部１１は、複数種類の通信モジュールによって構成されてもよい。
【００２６】
また、第一通信部１１は、取得部として機能する。第一通信部１１は、空調機器２０によって生成された操作ログ情報を、無線通信により空調機器２０から取得（受信）する。
【００２７】
第一通信部１１は、温度計測部３１によって計測された温度の計測値、及び、湿度計測部３２によって計測された湿度の計測値を、無線通信により温湿度計測装置３０から取得する。なお、空調機器２０が温度計測機能及び湿度計測機能を有する場合、すなわち、空調機器２０が温度計測部及び湿度計測部を備える場合がある。このような場合、第一通信部１１は、温度の計測値、及び、湿度の計測値を空調機器２０から取得してもよく、温湿度計測装置３０は不要となる。
【００２８】
第一通信部１１は、空調機器２０の消費電力量（消費電力）を電力計測装置４０から取得することもできる。
【００２９】
操作ログ情報、温度の計測値、湿度の計測値、及び、消費電力量は、リアルタイムで取得されてもよいし、定期的にまとめて取得されてもよい。取得された操作ログ情報、温度の計測値、湿度の計測値、及び、消費電力量は、制御部１３によって記憶部１２に記憶される。
【００３０】
記憶部１２には、取得された操作ログ情報、温度の計測値、湿度の計測値、及び、消費電力量が、制御部１３によって記憶される。なお、記憶部１２には、その他に、制御部１３が実行する制御プログラムなども記憶されている。また、記憶部１２には、不快指数を算出するための計算アルゴリズム、及び、快適性に関する情報なども記憶される。記憶部１２は、具体的には、半導体メモリなどにより実現される。
【００３１】
制御部１３は、プロセッサ、マイクロコンピュータ、または専用回路などによって実現され、記憶部１２への操作ログ情報等の記憶などの情報処理を行う。制御部１３は、より詳細には、特定部１４と、算出部１５とを有する。以下、制御部１３が有する各構成要素について説明する。
【００３２】
特定部１４は、記憶部１２に記憶された操作ログ情報（取得された操作ログ情報）に基づいて、空調機器２０がオフされたタイミングを特定する。上述のように、ログ情報には時刻情報が付与されているため、特定部１４はこのような時刻情報を用いて空調機器２０がオフされたタイミングを特定することができる。
【００３３】
また、特定部１４は、記憶部１２に記憶された温度の計測値（取得された温度の計測値）に付与された時刻情報を参照することにより、空調機器２０がオフされたタイミング以降の室内の温度を特定する。そして、特定部１４は、特定されたタイミング以降の室内の温度の経時変化を示す画像を表示するための表示制御情報を生成し、生成した表示制御情報を第一通信部１１に送信（出力）させる。これにより、表示部５１には、図３に示されるような画像が表示される。この場合、第一通信部１１は、表示制御情報を出力する出力部として機能するといえる。
【００３４】
算出部１５は、第一算出部及び第二算出部の一例である。算出部１５は、例えば、計測された室内の温度及び湿度に基づいて、不快指数を算出する。不快指数は、快適性を示す指数の一例である。不快指数の算出アルゴリズム（計算式）は、記憶部１２に記憶される。
【００３５】
算出部１５は、必須の構成要素ではないが、算出部１５が不快指数を算出することにより、特定部１４は、不快指数を示す画像を表示するための表示制御情報を生成することができる。つまり、表示部５１は、算出された不快指数をさらに示す画像を表示することができる。不快指数を示す画像の詳細については後述する。
【００３６】
また、算出部１５は、計測された室内の温度及び特定されたタイミングに基づいて、所定の快適性が持続される持続時間であって、特定されたタイミングを始点とする持続時間を算出する。持続時間を算出するための快適性に関する情報は、記憶部１２に記憶される。
【００３７】
算出部１５が持続時間を算出することにより、特定部１４は、算出された複数の持続時間の分布を示す画像を表示するための表示制御情報を生成することができる。つまり、表示部５１は、算出された複数の持続時間の分布を示す画像を表示することができる。持続時間の分布を示す画像の詳細については後述する。
【００３８】
［表示装置］
表示装置５０は、画像を表示する。表示装置５０は、具体的には、例えば、パーソナルコンピュータであるが、テレビ、スマートフォン、または、タブレット端末であってもよい。また、表示装置５０は、制御装置１０に対応した専用の表示装置であってもよい。表示装置５０は、第二通信部５３と、表示制御部５４と、表示部５１と、入力受付部５２とを備える。
【００３９】
第二通信部５３は、制御装置１０の第一通信部１１と通信を行う。例えば、第二通信部５３は、画像を表示するための表示制御情報を、第一通信部１１から受信する。また、第二通信部５３は、入力受付部５２が受け付けた入力に応じた指示（例えば、画像の表示を要求する指示）を第一通信部１１に送信する。
【００４０】
第二通信部５３は、具体的には、第一通信部１１と通信可能な通信モジュール（通信回路）である。
【００４１】
表示制御部５４は、第二通信部５３が受信した表示制御情報に基づき、表示部５１に画像を表示する。表示制御部５４は、例えば、図３に示されるような画像を表示部５１に表示させる。これにより、ユーザは、表示部５１を通じて画像を視認することができる。表示制御部５４は、具体的には、プロセッサ、マイクロコンピュータ、または専用回路によって実現される。
【００４２】
表示部５１は、表示制御部５４の制御に基づいて画像を表示する。表示部５１は、具体的には、液晶パネル、または、有機ＥＬパネルなどによって実現される。
【００４３】
入力受付部５２は、ユーザの入力を受け付けるユーザインタフェースである。入力受付部５２は、具体的には、表示装置５０がパーソナルコンピュータである場合には、キーボード及びマウスなどであるが、入力受付部５２の具体的態様は、特に限定されない。例えば、表示装置５０がスマートフォンまたはタブレット端末である場合には、入力受付部５２は、タッチパネルを含むＧＵＩ（Ｇｒａｐｈｉｃａｌ  Ｕｓｅｒ  Ｉｎｔｅｒｆａｃｅ）である。
【００４４】
［電力計測装置］
電力計測装置４０は、空調機器２０の消費電力量（消費電力）を計測する装置である。電力計測装置４０は、具体的には、分電盤であるが、スマートメータなどであってもよい。
【００４５】
電力計測装置４０は、住宅に電力を供給するための幹線における消費電力量（住宅内の消費電力量の合計）を計測することができる。また、電力計測装置４０は、幹線から分岐した複数の分岐回路ごとに消費電力量を計測することもできる。電力計測装置４０は、分岐回路（コンセント）に空調機器２０のみが接続されていれば、空調機器２０の消費電力量を独立して計測可能である。消費電力量の計測には、ＣＴ（Ｃｕｒｒｅｎｔ  Ｔｒａｎｓｆｏｒｍｅｒ）またはロゴスキー素子などが用いられる。
【００４６】
また、図示されないが、電力計測装置４０は、制御装置１０と無線通信を行うための通信モジュール（通信回路）を有し、制御装置１０と無線通信が可能である。つまり、電力計測装置４０は、具体的には、空調機器２０の消費電力量を、無線通信により制御装置１０に送信することができる。なお、消費電力量には、計測時刻を示す時刻情報（タイムスタンプ）が付与される。
【００４７】
［動作例１］
次に、情報提示システム１００の動作例１について説明する。図４は、情報提示システム１００の動作例１のフローチャートである。
【００４８】
まず、第一通信部１１は、空調機器２０の操作ログ情報を当該空調機器２０から取得する（Ｓ１１）。取得された操作ログ情報は、記憶部１２に記憶される。
【００４９】
一方で、温湿度計測装置３０の温度計測部３１は、室内の温度を計測する（Ｓ１２）。計測された室内の温度（温度の計測値）は、第一通信部１１によって取得された後、記憶部１２に記憶される。
【００５０】
次に、特定部１４は、記憶部１２に記憶された操作ログ情報（第一通信部１１によって取得された操作ログ情報）に基づいて、空調機器２０がオフされたタイミングを特定する（Ｓ１３）。上述のように、操作ログ情報においては、操作の内容と、操作が行われた時刻を示す時刻情報とが対応付けられている。特定部１４は、操作ログ情報を参照することによって、電源オフ（空調のオフ）に対応付けられた時刻情報が示す時刻を、空調機器２０がオフされたタイミングとして特定する。
【００５１】
また、特定部１４は、記憶部１２に記憶された温度の計測値（取得された温度の計測値）に付与された時刻情報を参照することにより、空調機器２０がオフされたタイミング以降の室内の温度を特定する。そして、特定部１４は、特定されたタイミング以降の室内の温度の経時変化を示す画像を表示するための表示制御情報を生成し、生成した表示制御情報を第一通信部１１に送信（出力）させる。送信された表示制御情報は、第二通信部５３によって受信される。
【００５２】
そして、表示部５１は、計測された室内の温度及び特定されたタイミングに基づいて、特定されたタイミング以降の室内の温度の経時変化を示す画像を表示する（Ｓ１４）。具体的には、表示制御部５４は、第二通信部５３が受信した表示制御情報に基づいて表示部５１に画像を表示させる。言い換えれば、表示部５１は、表示制御部５４の制御に応じて画像の表示を行う。
【００５３】
この結果、表示部５１には、図３に示されるような、温度の経時変化を示すグラフが画像として表示される。図３に示される画像では、温度の経時変化に加えて、空調機器２０の消費電力（または消費電力量）の経時変化が棒グラフによって示されている。上述のように、空調機器２０の消費電力は、第一通信部１１によって電力計測装置４０から取得される。
【００５４】
なお、図３に示される画像では、特定されたタイミング以前の、室内の温度の経時変化及び空調機器２０の消費電力の経時変化も示されているが、表示部５１が表示する画像においては、特定されたタイミング以降の室内の温度の経時変化のみが示されてもよい。なお、図３のように、表示部５１が表示する画像において、特定されたタイミング以前の、室内の温度の経時変化及び空調機器２０の消費電力が示される場合には、特定されたタイミングが明示されるとよい。
【００５５】
このような画像を視認したユーザは、空調機器２０がオフされた後の室内の温度の経時変化を認識することができる。ユーザは、このような画像に基づいて、外出する３０分前に空調機器２０をオフしたとしても、外出するまでに温度はほとんど変化しないので、外出する３０分前に空調機器２０をオフする、といった判断を行うことができる。つまり、ユーザは、空調機器２０を効率的に使用することが可能となる。
【００５６】
以上説明したように、情報提示システム１００は、ユーザが空調機器２０を効率的に使用するために必要な情報として、空調機器２０がオフされた後の温度の経時変化を提示することができる。
【００５７】
なお、画像の表示は、定期的に行われてもよいし、入力受付部５２がユーザから画像の表示を要求する指示を受け付けたときに行われてもよい。このときの指示には、日付または時間帯の指定が含まれてもよく、これにより、指定された日付または時間帯において空調機器２０がオフされたときのグラフが画像として表示される。
【００５８】
また、空調機器２０が設けられた住宅において、１カ月間の消費電力量の目標値が定められているような場合が考えられる。このような場合、消費電力量が目標値を超えると予測されるとき（例えば、１日における消費電力量が１日当たりの消費電力量の目標値を上回ったとき）に、画像の表示が行われてもよい。
【００５９】
なお、図３に示される画像においては、空調機器２０がオフされたタイミングからの温度変化が所定温度以内（図３の例では１℃以内）となる時間の範囲が、快適範囲として示されている。具体的には、時間の範囲を示す縦軸方向に長い境界線６０が示されている。このように、表示部５１は、所定の快適性が維持される時間の範囲である快適範囲を示す画像を表示してもよい。
【００６０】
これにより、ユーザは、快適性が維持される温度の範囲を容易に把握することができる。
【００６１】
また、表示部５１は、所定の快適性が維持される温度の範囲である快適範囲を示す画像を表示してもよい。この場合、図３に示される画像においては、横軸方向に長い境界線が示される。
【００６２】
なお、所定温度は、快適性に関する情報として記憶部１２に記憶される。所定温度は、入力受付部５２がユーザからの所定温度の変更指示を受け付けることにより、変更されてもよい。また、快適範囲は、上記のような温度変化ではなく、絶対的な温度（例えば、室温が２７℃以上など）に基づいて定められてもよい。
【００６３】
なお、図３に示されるグラフの横軸は、絶対時刻を示すが、当該横軸は、空調機器２０がオフされたタイミングを０とした相対的な時刻であってもよい。
【００６４】
これにより、ユーザは、空調機器２０がオフされてからの時間と、室内の温度との関係を容易に認識することができる。
【００６５】
［動作例２］
次に、情報提示システム１００の動作例２について説明する。図５は、情報提示システム１００の動作例２のフローチャートである。以下の動作例２の説明では、動作例１との相違点を中心に説明が行われ、動作例１で既に説明された内容については詳細な説明が省略される場合がある。
【００６６】
図５に示されるように、動作例２では、操作ログ情報の取得（Ｓ１１）、及び、室内の温度の計測（Ｓ１２）に加えて、湿度計測部３２によって室内の湿度の計測が行われる（Ｓ２１）。計測された室内の湿度（湿度の計測値）は、第一通信部１１によって取得された後、記憶部１２に記憶される。
【００６７】
特定部１４は、空調機器２０がオフされたタイミングを特定した後（Ｓ１３）、空調機器２０がオフされたタイミング以降の室内の温度に加えて、空調機器２０がオフされたタイミング以降の室内の湿度を特定する。特定部１４は、具体的には、記憶部１２に記憶された湿度の計測値（取得された湿度の計測値）に付与された時刻情報を参照することにより、空調機器２０がオフされたタイミング以降の室内の湿度を特定する。そして、特定部１４は、特定されたタイミング以降の室内の温度及び湿度の経時変化を示す画像を表示するための表示制御情報を生成する。
【００６８】
そして、表示部５１は、計測された室内の温度及び湿度、並びに、特定されたタイミングに基づいて、特定されたタイミング以降の室内の温度及び湿度の経時変化を示す画像を表示する（Ｓ１４）。
【００６９】
この結果、表示部５１には、図６に示されるような、温度及び湿度の経時変化を示すグラフが画像として表示される。図６は、温度及び湿度の経時変化を示すグラフを含む画像の一例を示す図である。図６に示される画像では、温度及び湿度の経時変化に加えて、空調機器２０の消費電力（または消費電力量）の経時変化が棒グラフによって示されている。
【００７０】
なお、図６に示される画像では、特定されたタイミング以前の、室内の温度及び湿度の経時変化、並びに、空調機器２０の消費電力の経時変化も示されている。ここで、表示部５１が表示する画像においては、特定されたタイミング以降の室内の温度及び湿度の経時変化のみが示されてもよい。なお、図６のように、表示部５１が表示する画像において、特定されたタイミング以前の、室内の温度及び湿度の経時変化、並びに、空調機器２０の消費電力が示される場合には、特定されたタイミングが明示されるとよい。
【００７１】
このように、情報提示システム１００は、ユーザが空調機器２０を効率的に使用するために必要な情報として、空調機器２０がオフされた後の室内の温度及び湿度の経時変化を提示することができる。
【００７２】
このような画像を視認したユーザは、空調機器２０がオフされた後の室内の温度及び湿度の経時変化を認識することができる。ユーザは、このような画像に基づいて、空調機器２０をオフするタイミングを決定することができる。
【００７３】
［動作例３］
次に、情報提示システム１００の動作例３について説明する。図７は、情報提示システム１００の動作例３のフローチャートである。以下の動作例３の説明では、動作例１及び動作例２との相違点を中心に説明が行われ、動作例１及び動作例２で既に説明された内容については詳細な説明が省略される場合がある。
【００７４】
図７に示されるように、動作例３では、操作ログ情報の取得（Ｓ１１）、室内の温度の計測（Ｓ１２）、及び、室内の湿度の計測（Ｓ２１）が行われる。
【００７５】
特定部１４は、空調機器２０がオフされたタイミングを特定した後（Ｓ１３）、空調機器２０がオフされたタイミング以降の室内の温度及び湿度を特定する。
【００７６】
算出部１５は、空調機器２０がオフされたタイミング以降の室内の温度及び湿度に基づいて、不快指数を算出する（Ｓ３１）。不快指数は、例えば、温度をＴｄ［℃］、湿度をＨ［％］として、例えば、下記の式を用いて算出される。
【００７７】
０．８１×Ｔｄ＋０．０１×Ｈ×（０．９９Ｔｄ−１４．３）＋４６．３
【００７８】
また、特定部１４は、特定されたタイミング以降の室内の温度、湿度、及び、不快指数の経時変化を示す画像を表示するための表示制御情報を生成する。
【００７９】
そして、表示部５１は、空調機器２０がオフされたタイミング以降における、室内の温度、湿度、及び、不快指数の経時変化を示す画像を表示する（Ｓ１４）。表示部５１は、例えば、上記図６に示されるように、横軸を時刻として、温度、湿度、及び、不快指数の経時変化を示す画像を表示する。ここで、表示部５１は、縦軸及び横軸の一方が室内の温度を示し、縦軸及び横軸の他方が室内の湿度を示すグラフを含む画像を表示し、このグラフにさらに不快指数を表示してもよい。図８は、不快指数を示す画像の一例である。
【００８０】
図８に示される画像に含まれるグラフにおいては、縦軸が湿度を示し、横軸が温度を示す。グラフ中の点は、所定の時間間隔（例えば、５分）ごとにプロットされ、プロットされた点には、不快指数が付与されている。
【００８１】
このように、情報提示システム１００は、ユーザが空調機器２０を効率的に使用するために必要な情報として、不快指数を提示することができる。
【００８２】
なお、図８に示される画像においては、不快指数が所定の閾値以下（図８の例では７５以下）である範囲が、快適範囲として示されている。具体的には、快適範囲を示す境界線６１が示されている。このように、表示部５１は、所定の快適性が維持される不快指数の範囲である快適範囲を示す画像を表示してもよい。
【００８３】
これにより、ユーザは、快適性が維持される不快指数の範囲を容易に把握することができる。
【００８４】
なお、所定の閾値は、快適性に関する情報として記憶部１２に記憶される。所定の閾値は、入力受付部５２がユーザからの閾値の変更指示を受け付けることにより、変更されてもよい。
【００８５】
また、図８に示されるグラフにおいては、プロットされた点が快適な範囲に属するか否かが、当該点に付与された不快指数にかっこ書きで追加されている。これにより、ユーザは、空調機器２０のプロットされた点が快適な範囲に属するか否かを容易に認識することができる。
【００８６】
［動作例４］
次に、情報提示システム１００の動作例４について説明する。図９は、情報提示システム１００の動作例４のフローチャートである。以下の動作例４の説明では、動作例１との相違点を中心に説明が行われ、動作例１で既に説明された内容については詳細な説明が省略される場合がある。
【００８７】
図９に示されるように、動作例４では、操作ログ情報の取得（Ｓ１１）、室内の温度の計測（Ｓ１２）、及び、空調機器２０がオフされたタイミングの特定（Ｓ１３）が行われる。計測された室内の温度（温度の計測値）は、第一通信部１１によって取得された後、記憶部１２に記憶される。
【００８８】
算出部１５は、記憶された室内の温度（計測された室内の温度）及び特定されたタイミングに基づいて、所定の快適性が持続される持続時間であって、特定されたタイミングを始点とする持続時間を算出する（Ｓ４１）。算出部１５は、空調機器２０がオフされたタイミングからの温度変化が所定温度以内（例えば、１℃以内）である状態が持続される時間を、持続時間として算出する。上述のように、記憶部１２に記憶された室内の温度には時刻情報が付与されているため、算出部１５は、記憶部１２に記憶された室内の温度を参照することにより、持続時間を算出できる。
【００８９】
ここで、例えば、１カ月分の操作ログ情報があれば、当該操作ログ情報には、空調機器２０がオフされたタイミングが複数含まれる。そこで、算出部１５は、このような複数のタイミングそれぞれについて持続時間を算出する。つまり、算出部１５は、持続時間を複数算出する。特定部１４は、算出された持続時間の度数分布を示す画像を表示するための表示制御情報を生成する。
【００９０】
そして、表示部５１は、算出された複数の持続時間の度数分布を示す画像を表示する（Ｓ１４）。図１０は、持続時間の度数分布を示す画像の一例を示す図である。
【００９１】
図１０に示される画像では、空調機器２０がオフされたタイミングからの温度変化が１℃以内を維持できる持続時間の度数分布（頻度）が示されている。持続時間は、言い換えれば、空調機器２０がオフされてから、温度変化が１℃を超えるまでにかかる時間である。このような持続時間の頻度は、１０分以上２０分以下の期間において最も高い。
【００９２】
したがって、このような画像を視認したユーザは、空調機器２０がオフされてから２０分以内は、温度変化が１℃以内となる可能性が高いことを認識できる。ユーザは、このような画像に基づいて、空調機器２０を早めにオフすることを検討することができる。
【００９３】
なお、持続時間は、外気温の影響を受けて変動すると考えられる。具体的には、昼間（例えば、６：００以降１８：００まで）に空調機器２０がオフされたときの持続時間と、夜間（例えば、１８：００以降、翌日の６：００まで）に空調機器２０がオフされたときの持続時間とは傾向が異なることが予想される。そこで、持続時間の度数分布は、異なる時間帯（期間）ごとに生成されてもよい。例えば、度数分布において、昼間における持続時間と、夜間における持続時間とが区別されてもよい。図１１は、昼間の持続時間と夜間の持続時間とが区別された度数分布を示す画像の一例を示す図である。
【００９４】
このような画像を視認したユーザは、昼間と夜間とを区別して持続時間の度数分布を認識することができる。
【００９５】
なお、動作例１と同様に、図１０及び図１１に示されるような度数分布を示す画像の表示は、定期的に行われてもよいし、入力受付部５２がユーザから画像の表示を要求する指示を受け付けたときに行われてもよい。このときの指示には、日付または時間帯の指定が含まれてもよく、これにより、指定された日付または時間帯において空調機器２０がオフされたときの持続時間の度数分布が画像として表示される。
【００９６】
また、空調機器２０が設けられた住宅において、１カ月間の消費電力量の目標値が定められているような場合、消費電力量が目標値を超えると予測されるときに、画像の表示が行われてもよい。
【００９７】
［変形例］
上記実施の形態では、空調機器２０がオフされたタイミングは、操作ログ情報に基づいて特定されたが、空調機器２０の消費電力量に基づいて特定されてもよい。
【００９８】
上述のように、電力計測装置４０は、分岐回路（コンセント）に空調機器２０のみが接続されていれば、空調機器２０の消費電力量を独立して計測可能である。第一通信部１１は、電力計測装置４０から空調機器２０の消費電力量を取得し、特定部１４は、取得された空調機器２０の消費電力量が所定値よりも小さくなったタイミング、または、０となったタイミングを、空調機器２０がオフされたタイミングとして特定してもよい。
【００９９】
［効果等］
以上説明したように、情報提示システム１００は、室内に設けられた空調機器２０のユーザに情報を提示する。情報提示システム１００は、空調機器２０の操作ログ情報を取得する第一通信部１１と、室内の温度を計測する温度計測部３１と、取得された操作ログ情報に基づいて、空調機器２０の空調がオフされたタイミングを特定する特定部１４とを備える。また、情報提示システム１００は、計測された室内の温度に基づいて、特定されたタイミング以降の室内の温度の経時変化を示す画像を表示する表示部５１を備える。
【０１００】
これにより、情報提示システム１００は、空調機器２０の空調がオフされたタイミング以降の室内の温度の経時変化を示す画像を、ユーザが空調機器２０を効率的に使用するための情報として提示（表示）することができる。ユーザは、このような画像に基づいて、空調機器２０を早めにオフすること、すなわち、節電を検討することができる。
【０１０１】
また、情報提示システム１００は、さらに、室内の湿度を計測する湿度計測部３２を備えてもよい。表示部５１は、計測された室内の湿度に基づいて、特定されたタイミング以降の室内の湿度の経時変化をさらに示す画像を表示してもよい。
【０１０２】
これにより、情報提示システム１００は、空調機器２０の空調がオフされたタイミング以降の室内の温度及び湿度の経時変化を示す画像を、ユーザが空調機器２０を効率的に使用するための情報として提示することができる。ユーザは、このような画像に基づいて、節電を検討することができる。
【０１０３】
また、情報提示システム１００は、さらに、計測された前記室内の温度及び湿度に基づいて、不快指数を算出する算出部１５を備えてもよい。表示部５１は、算出された不快指数の経時変化をさらに示す画像を表示してもよい。不快指数は、快適性を示す指数の一例であり、算出部１５は、第一算出部の一例である。
【０１０４】
これにより、情報提示システム１００は、空調機器２０の空調がオフされたタイミング以降の不快指数を示す画像を、ユーザが空調機器２０を効率的に使用するための情報として提示することができる。ユーザは、このような画像に基づいて、空調機器２０を早めにオフすること、節電を検討することができる。
【０１０５】
また、表示部５１は、縦軸及び横軸の一方が室内の温度を示し、縦軸及び横軸の他方が室内の湿度を示すグラフであって、特定されたタイミング以降の室内の温度及び湿度の経時変化を示すグラフを含む画像を表示してもよい。
【０１０６】
これにより、情報提示システム１００は、図８に示されるような画像を、ユーザが空調機器２０を効率的に使用するための情報として提示することができる。ユーザは、このような画像に基づいて、節電を検討することができる。
【０１０７】
また、表示部５１は、所定の快適性が維持される温度または時間の範囲である快適範囲をさらに示す画像を表示してもよい。所定の快適性が維持される温度の範囲は、例えば、空調機器２０がオフされた後の温度変化が１℃以内（１℃を超えない）である。所定の快適性が維持される時間の範囲は、例えば、空調機器２０がオフされた後の温度変化が１℃を超えるまでの時間の範囲である。
【０１０８】
これにより、情報提示システム１００は、快適範囲が示された画像を、ユーザが空調機器２０を効率的に使用するための情報として提示することができる。ユーザは、快適性が維持される範囲を容易に把握することができる。
【０１０９】
また、情報提示システム１００は、さらに、計測された室内の温度及び特定されたタイミングに基づいて、所定の快適性が持続される持続時間であって、特定されたタイミングを始点とする持続時間を算出する算出部１５を備えてもよい。表示部５１は、算出された複数の持続時間の分布を示す画像をさらに表示してもよい。所定の快適性は、例えば、空調機器２０がオフされた後の温度変化が１℃以内、のように規定される。
【０１１０】
これにより、情報提示システム１００は、快適性の持続時間の分布を、ユーザが空調機器２０を効率的に使用するための情報として提示することができる。ユーザは、このような画像に基づいて、節電を検討することができる。
【０１１１】
（その他の実施の形態）
以上、実施の形態に係る情報提示システムについて説明したが、本発明は、上記実施の形態に限定されるものではない。
【０１１２】
例えば、上記実施の形態では、表示部は、室内の温度の経時変化を示すグラフを含む画像が表示されたが、表示部は、室内の温度の経時変化を示す表を含む画像を表示してもよい。表示部は、特定されたタイミング以降の室内の温度の経時変化を示す画像を表示すればよい。湿度及び不快指数についても同様である。
【０１１３】
例えば、上記実施の形態で説明された画像には、さらに、アドバイス情報が含まれてもよい。アドバイス情報は、例えば、「外出の２０分前に空調機器をオフしても快適性が維持されます」といったメッセージである。制御部は、特定された温度の経時変化、及び、記憶された快適性に関する情報に基づいて、表示される画像に、このようなアドバイス情報を含めることができる。なお、アドバイス情報は、常に表示されるとユーザを煩わせる可能性もあるため、ユーザによって表示及び非表示が選択できるとよい。
【０１１４】
また、上記実施の形態では、快適性を示す指数として不快指数が用いられたが、快適性を示す指数は、不快指数に限定されない。例えば、快適性を示す指数としてＰＭＶ（Ｐｒｅｄｉｃｔｅｄ  Ｍｅａｎ  Ｖｏｔｅ：温冷感申告）が用いられてもよい。ＰＭＶが用いられる場合、温度及び湿度に加えて、気流、熱放射、代謝量（活動量）、及び、着衣量などのパラメータが考慮される。このようなパラメータは、入力受付部を介して入力されてもよいし、ＰＭＶを目安として算出するために標準的な値（デフォルト値）が用いられてもよい。
【０１１５】
例えば、上記実施の形態で説明した装置間の通信方法については特に限定されるものではない。上記実施の形態のように、装置間で無線通信が行われる場合、無線通信の方式（通信規格）は、例えば、９２０ＭＨｚ帯の周波数を利用した特定小電力無線であるが、Ｚｉｇｂｅｅ（登録商標）、Ｂｌｕｅｔｏｏｔｈ（登録商標）または、無線ＬＡＮ（Ｌｏｃａｌ  Ａｒｅａ  Ｎｅｔｗｏｒｋ）などである。
【０１１６】
また、装置間においては、無線通信に代えて、有線通信が行われてもよい。有線通信は、具体的には、電力線搬送通信（ＰＬＣ：Ｐｏｗｅｒ  Ｌｉｎｅ  Ｃｏｍｍｕｎｉｃａｔｉｏｎ）または有線ＬＡＮを用いた通信などである。
【０１１７】
また、例えば、上記実施の形態において、特定の処理部が実行する処理を別の処理部が実行してもよい。また、複数の処理の順序が変更されてもよいし、複数の処理が並行して実行されてもよい。
【０１１８】
また、上記実施の形態における構成要素の装置への振り分けは、一例である。例えば、電力計測装置と制御装置とは、別の装置とされたが、１つの装置とされてもよい。つまり、制御装置が有する各構成要素を電力計測装置が有してもよい。また、例えば、表示装置の機能を制御装置が有してもよい。
【０１１９】
また、上記実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１２０】
また、各構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【０１２１】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラム及び記録媒体の任意な組み合わせで実現されてもよい。例えば、本発明は、コンピュータを、情報提示システムまたは制御装置として機能させるためのプログラムとして実現されてもよい。また、本発明は、情報提示システムが実行する情報提示方法（アドバイス情報の提示方法）として実現されてもよい。また、本発明は、情報提示システムが備える制御装置として実現されてもよい。
【０１２２】
また、上記実施の形態において説明された情報提示システムの動作における複数の処理の順序は一例である。複数の処理の順序は、変更されてもよいし、複数の処理は、並行して実行されてもよい。
【０１２３】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【０１２４】
１０  制御装置
１１  第一通信部（取得部）
１４  特定部
１５  算出部（第一算出部、第二算出部）
２０  空調機器
３１  温度計測部
３２  湿度計測部
５１  表示部
１００  情報提示システム
【図１】
2017116129.tif 000003
【図２】
2017116129.tif 000004
【図３】
2017116129.tif 000005
【図４】
2017116129.tif 000006
【図５】
2017116129.tif 000007
【図６】
2017116129.tif 000008
【図７】
2017116129.tif 000009
【図８】
2017116129.tif 000010
【図９】
2017116129.tif 000011
【図１０】
2017116129.tif 000012
【図１１】
2017116129.tif 000013